(57)【要約】【課題】配送物の重量が予め決められた重量であるかどうかを検査する。【解決手段】配送物ａに、配送物ａの重量情報を含む二次元コードデータを付しておき、二次元バーコードリーダ６にて配送物ａから二次元コードデータを読み取り、また、重量測定装置Ｗにて配送物ａの重量を測定し、二次元バーコードリーダ６にて読み取られた二次元コードデータに含まれる重量情報による配送物ａの重量と、重量測定装置Ｗにて測定された配送物ａの重量とを比較し、２つの重量が互いに不一致であった場合に、配送物ａを回収する。【選択図】図１
2006096562.tif 000002
【特許請求の範囲】
【請求項１】
配送物の重量を検査する配送物重量検査装置であって、
前記配送物には、該配送物の重量情報を含む二次元コードデータが付され、
前記配送物から前記二次元コードデータを読み取る二次元コード読み取り手段と、
前記配送物の重量を測定する内包物検出手段と、
前記二次元コード読み取り手段にて読み取られた二次元コードデータに含まれる重量情報による前記配送物の重量と、前記内包物検出手段にて測定された前記配送物の重量とを比較し、前記２つの重量が互いに不一致であった場合に、当該配送物を回収する回収手段とを有する配送物重量検査装置。
【発明の詳細な説明】
【技術分野】
【０００１】
本発明は、郵便配達や宅配業務等において配送物を物流経路に沿って移送するに際して、必要な配達証、宅配票等の配送票を発行するとともに、この配送票を配送物に貼付する配送票発行貼付装置に関するものである。
【背景技術】
【０００２】
従来、郵便配達や宅配業務等で配送物を配送するには、書留で使用される配達証や宅配業で使用される宅配票等の配送票を作成し、配送物に添付して配送処理を行っている。この配送票には、配送先及び発送人などの配送情報とともに配送物受取人が記載、又は、受け取り印用の押印欄を有し、その配送票を持ち帰ることによって配送者が配送処理を完了したことが確認でき確実な配送の管理ができる。また、この配送票の作成にあたっては、配送物の配送先住所、配送先宛名、配送先電話番号、配送物、発送人住所、発送人名称（氏名）、発送人電話番号及び配送先の取扱い郵便局コードや宅配業者の着店コード等の通常、人間が読取り可能な配送先データを手書きにより行っていた。
【発明の開示】
【発明が解決しようとする課題】
【０００３】
そのため、多量に配送物があると、これら配送票の作成に大変な手間がかかるばかりか、配送物に貼付すべき配送票を誤って、他の配送物に貼付してしまって、確実な配送処理ができないので、配送物にコードデータを付すとともに、このコードデータに対応する配送する配送先データを登録して、随時このコードデータを読取り、登録した前記配送先データから対応する配送先データを検索し、自動で多量の配送物への配送票発行および貼付処理を行える配送票発行貼付装置の開発を試みた。しかしながら、いちいちコードデータに対応する配送先データを登録する作業が繁雑となり、その管理も大変なものとなるばかりか、システムも大掛かりなものとなってしまい配送物への配送票発行貼付作業は、きわめて繁雑で，作業効率を著しく低下させるものとなってしまう。この発明は、多量の配送物の配送票発行貼付処理に際して、コードデータに対応する配送先データを登録する必要を無くし、容易に配送票発行貼付作業を行える配送票発行貼付装置を提供することを目的とするものである。
【課題を解決するための手段】
【０００４】
上記目的を達成するために本発明は、
配送物の重量を検査する配送物重量検査装置であって、
前記配送物には、該配送物の重量情報を含む二次元コードデータが付され、
前記配送物から前記二次元コードデータを読み取る二次元コード読み取り手段と、
前記配送物の重量を測定する内包物検出手段と、
前記二次元コード読み取り手段にて読み取られた二次元コードデータに含まれる重量情報による前記配送物の重量と、前記内包物検出手段にて測定された前記配送物の重量とを比較し、前記２つの重量が互いに不一致であった場合に、当該配送物を回収する回収手段とを有する。
【０００５】
（作用）
配送物の配送先住所や配送宛名等データが記憶されたコードデータを読取り、あらかじめ記憶されている変換プログラムによって、このコードデータに対応する配送データに変換し、対応する前記配送データをプリントアウトして配送票を発行、貼付する。
【発明の効果】
【０００６】
以上説明したように、本発明の配送票発行貼付装置は、配送物の配送先住所や配送宛名等データが記憶されたコードデータを読取り、あらかじめ記憶されている変換プログラムによって、このコードデータに対応する配送データに変換し、対応する前記配送データをプリントアウトして配送票を発行、貼付するればよいので、いちいちコードデータに対応する配送先データを登録する作業を必要としないばかりか、システムも簡素化でき処理作業効率を大幅に向上させることができ、実用性に優れた効果を奏するものである。
【発明を実施するための最良の形態】
【０００７】
以下、本発明を好適な実施例に基づいて詳細に説明する。図１は、本発明の配送票発行貼付装置の全体説明図であって、図２は、図１で処理する配送物の内包物として取扱われるカードとカード配送台紙の展開状態の表面説明図、また図３は、図１で処理する図２の内包物を封入した封筒の表面説明図で、図４は、図３の封筒の裏面説明図、図５は、図４の封筒の裏面に配送票を貼付した平面説明図、図６は、図１の配送票発行貼付装置の処理フロー説明図である。
【０００８】
配送票発行貼付装置１の説明に先だって、図２の内包物となるカードＣとこのカードＣを固定するカード台紙３４を説明する。このカード台紙３４は、カードＣの送り状を兼ねる物であって、あらかじめ配送先住所、氏名、およびこれら配送先住所、氏名や配送管理用バーコードラベル情報等が記憶された二次元バーコードＢＣが印字されている。カードＣは、カード台紙３４に設けられた切り込み３５、３５にエッジが挿入されて固定されている。
【０００９】
このカード台紙３４とカードＣからなる内包物は、折り線３８、３８でジグザグに折りたたまれ、図３で示される封筒に封入された配送物ａとされる。次に、この封筒を図３、図４にしたがって説明すると、表面側（図３）に、配送物ａ（封筒）に設けられた窓から、二次元バーコードデータＢＣ、および配送宛先情報３１としての住所、氏名が表出されている。またＢ１は、配送管理用に発行されるバーコードラベルであって、このバーコードラベルＢ１の出力データは、前述した如く前記二次元バーコードデータＢＣに記憶されていて、この二次元バーコードデータＢＣの読取りに基づいて発行されるものである。図４は、封筒裏面側で封緘用舌片３３を有している。
【００１０】
図１は、配送票発行貼付装置１を封書を書留郵便で送付する際に使用される配送票としての書留郵便配達証を発行貼付する実施例として説明する。図１に示すように配送票発行貼付装置１は、概略的に、一つずつ供給部２１から供給される配送物（封筒）ａを一方向（図上、左から右）に移送してストッカーなどの区分部２２へ送り出すコンベヤベルトよりなる移送手段２と、配送物ａ個々に特定されたバーコードとして表された二次元バーコードデータＢＣを、前記移送手段２上の上流側で読み取り対応する配送管理用バーコードラベルＢ１を発行するバーコードラベル発行手段４１と、配送物における内包物検出手段Ｗと、配送票を発行するようにした配送票発行装置３と、前記配送票発行装置３で発行された配送票１６（書留郵便配達証）（図５参照）を配送物ａに対して、移送手段２上において貼り付ける配送票貼付装置４とからなるものである。
【００１１】
具体的な構成としては、配送物ａが給送部より一通づつ供給され、配送物ａの二次元バーコードデータＢＣを二次元バーコードリーダー６により、上流側で配送物ａから読み取ってその情報を制御部５に送り、この制御部５からの制御により作動する配送管理用バーコードラベルＢ１を発行するバーコードラベル発行手段４１と、バーコードラベル発行貼付後、同様に制御部５からの制御により作動する配送物における内包物検出手段としてなる重量測定装置Ｗが配置されており、ここで配送物ａの内包物の測定が行われる。後段には、配送票発行装置３における二組のプリンタ７ａ、７ｂが配置されているとともに、前記配送票貼付装置４は、制御部５の制御下で、粘着手段を有した配送票が剥離可能に並び設けられている支持帯８を前記配送票発行装置３のプリンタ７ａ、７ｂのヘッド面を通過するように送り出し、移送手段２上を経て巻き取る一対のロール部９と移送手段２上を移動する封筒ａに向けて順次配送票を支持帯８から分離させて貼り付けるガイド部１０ａ、１０ｂとから構成されている。
【００１２】
なお、前記制御部５には、予め配送物ａに対して付された二次元バーコードＢＣを読取って、この二次元バーコードＢＣに対応する配送先住所、氏名および前述した配送物ａにおける内包物の検情報となる重量情報等の配送データへの変換用プログラムが記録される記憶部１１、全装置の動作状態などを制御部５の制御の下で表示する表示部１２、手動操作指示などの外部入力情報を制御部５に与えるキーボード等の入力部１３がそれぞれ接続されている。
【００１３】
そして、重量測定装置Ｗによる内包物検出および上記配送票発行装置３の動作状態にあっては、移送手段２で移送されてくる配送物ａの二次元コードデータＢＣをバーコードリーダ６で読み取り、予めこの二次元バーコードデータＢＣに対応する配送データにおける重量データが記録された配送データファイルの情報から、即ち、記憶部１１から検索して得られた、前記配送物ａのコードデータに対応する重量データと、重量測定装置Ｗが測定した重量データとが制御部５で比較される。ここで重量が異なった場合は、制御部５は、重量測定装置Ｗのすぐ後段に配置されたリジェクトボックス３７の駆動手段４０を駆動制御し、その配送物ａを回収するよう制御する。
【００１４】
また、重量が異なることなく、一致した場合は、リジェクトボックス３７を通過し、後段に移送されるが、記憶部１１から、前記配送物ａのコードデータに対応する配送先住所、氏名としての配送データを検索して、得られた配送データが、配送票発行装置３における支持帯８の配送票にプリントアウトされ、そして、配送票貼付装置４で、プリントアウトされた配送票が移送手段２側で分離される時点で、予め配送物ａに対して付された二次元バーコードデータＢＣが読み取られた配送物ａに対応したコードデータＢ２（配送管理用バーコードラベルＢ１と同コード）付きの配送票１６、１６が貼付されるようにしたものとなっている。尚、６ａ、６ｂ、６ｃは、配送物ａに貼付された配送票１６、１６のコードデータＢ２、Ｂ２と予め配送物ａに対して最初に付されたバーコードラベルＢ１の照合用のバーコードリーダである。
【００１５】
一方、これら配送物ａは、発送前に発送を取り止める場合や、別ルートで配送する場合等があり、配送票発行貼付装置１での処理の過程で抜き出すために指定する配送物ａのコードデータ（配送管理用バーコード等）を入力部１３から入力し、そのデータは、指定配送物記憶部１４に登録できるようになっている。指定配送物のデータ入力は、アラビア数字で入力部１３から入力するか、必要により別のバーコードリーダ等で入力してもよい。
【００１６】
バーコードリーダ６ａ、６ｂ、６ｃの後段には、指定した配送物ａをストックするピックアップボックス２３と、予め配送物ａに対して付された二次元バーコードデータＢＣがバーコードリーダー６で読み取りができなかった場合や、バーコードリーダ６ａ、６ｂ、６ｃで配送物ａに貼付された配送票１６、１６のコードデータＢ２、Ｂ２と予め配送物ａに対して最初に付されたバーコードラベルＢ１の照合がとれなかったものを抜き出すリジェクトボックス２４が設けられている。
【００１７】
ピックアップボックス２３には、バーコードリーダ６または、バーコードリーダ６ａ、６ｂ、６ｃのいずれが指定配送物記憶部１４に登録されているコードデータを読み取った場合には、制御部５の制御の下で対象となる配送物ａを抜き出す抜き取り駆動装置２１が設けられピックアップ手段を構成する。また、リジェクトボックス２４にも、バーコードリーダー６で読み取りできない二次元バーコードデータＢＣ、または、バーコードリーダ６ａ、６ｂ、６ｃでの照合不良の場合に制御部５の制御の下で対象となる配送物ａを抜き出す抜き取り駆動装置２２が設けられリジェクト手段を構成する。
【００１８】
図５は、配送票１６、１６が封書本体と封緘された封緘舌片３３の堺を覆う位置に貼付した例であって、図５に示されているように配送票１６は、配送票１６の裏面に粘着剤が塗布されているとともに、更にその下に剥離可能にして透明フィルムが接合され、その透明フィルムの裏面に粘着剤が塗布されていて、配達票１６に各種配達情報が上述のようにして出力された後、各裏面の粘着剤を介して配送物ａに貼り合わされることになる。なお、図中右側の配送票１６は配送過程において配送物ａから分離され郵便局が控とするものである。
【００１９】
図６は配送票１６、１６を発行貼付する際の作業流れを示している。まず、個々にコードデータが特定されている配送物ａが供給され（ステップ１０１）、供給されてきた配送物から二次元バーコードデータＢＣを読み取り（ステップ１０２）、この二次元バーコードデータＢＣが読み取れなかった場合は、読み取りエラーとし（ＮＯ）でリジェクト処理される（ステップ１０９）。読み取りエラーが生じなかった場合は、バーコードラベル発行貼付装置４１で対応する配送物ａに配送管理用のバーコードラベルＢ１が発行、貼付される（ステップ１０３）、一方これと平行して、前記二次元バーコードデータＢＣの読み取りに基づいて通常、人手を介して読取り可能な配送先データへのデータ変換が行われる（ステップ１０４）。
【００２０】
ステップ１０３でのバーコードラベルＢ１が発行、貼付の後、または、このバーコードラベルＢ１が発行、貼付処理に先だって、フローに図示されてないが、その二次元バーコードデータＢＣに対応する配送物の重量がチェックされ、重量が一致しない場合は、その時点でリジェクトボックス３７にその配送物を回収するリジェクト処理が行われる。
【００２１】
次に、重量チェックをクリヤし異常がなければ、二次元バーコードデータＢＣからステップ１０４での配送先データへのデータ変換の後、制御部５から配送票発行装置３に、その配送データを出力動作させる指令が発せられると、前記指令により配送データを配送票１６、１６に出力し（ステップ１０６）、その配送票１６、１６を配送票貼付装置４は、配送物ａに貼付する工程に移行する（ステップ１０７）。
【００２２】
そして、ステップ１０７を経た配送物ａのバーコードラベルＢ１と前記配送票に出力されたコードデータＢ２、Ｂ２とを読み取って比較する段階（ステップ１０８）となり、この段階で不一致（ＮＯ）である場合には、制御部５の制御の下で抜き取り駆動装置２２を駆動し配送物ａを抜き出しリジェクト処理される（ステップ１０９）。
【００２３】
一方、ステップ１０８で一致（ＹＥＳ）となった配送物に関しては次工程に移送する（ステップ１０９）ことになる。このステップ１０９では、指定配送物記憶部１４に登録されているコードデータを読み取った場合には、制御部５の制御の下で抜き取り駆動装置２１を駆動し配送物ａを抜き出しピックアップ処理される（ステップ１１０）。
【００２４】
ステップ１０９で、指定配送物記憶部１４に登録されていないコードデータを読み取った場合には、後段の区分部２２へ送り出され郵便番号別に所定通数づつ仕分け処理されながらスタック処理される（ステップ１１１）。
【００２５】
上記、実施例において、配送管理用に出力されるバーコードラベルは、二次元バーコードに記憶されているコードに基づいて、この二次元バーコードを読取って、発行、貼付される以外に、たとえば、カード送付台紙に二次元バーコードを印字出力する際、このカード送付台紙に同時に出力印字されるものであってもよく、このカード送付台紙が封筒等に封入される際、あらかじめ封筒に設けた、窓から表出されるものであってもよい。
【００２６】
また、本発明の配送票発行貼付装置に配置された各装置において、バーコードラベル発行装置の後段に、内包物検出手段として設けた重量測定装置は、必ずしも、このバーコードラベル発行装置の後段に配置する必要はなくバーコードラベル発行装置の前段に配置して、バーコードラベルの発行以前にリジェクトしてもよい。
【００２７】
さらに内包物検出情報登録手段は、必ずしも各配送物おのおのに対応するよう配送物の数だけ全て記憶しなくてもよく、所望の単位ごとに同じ重量の配送物を扱う物であれば、キーボードなどの入力部１３から重量測定装置での測定値を入力、登録するようにしてもよい。また、内包物検出情報登録手段および内包物検出手段は、必ずしも重量によるものである必要はなく、従来公知の検出手段、たとえば磁気検出、電磁検出手段等を用い、磁気的、電気的に検出可能な情報で登録するものであってもよい。
【００２８】
またらに、配送物ａは封筒形態のものが示されていて、配送管理用バーコードラベルは、配送物表面に貼付されるも以外に、配送物表面に直接バーコードデータが印字記載されるものであってもよく、また、この配送物ａはある程度の厚さを有するものであってもよく、封筒に限定されるものではない。
【図面の簡単な説明】
【００２９】
【図１】本発明の配送票発行貼付装置の一実施例を概略的に示す説明図。
【図２】配送物における内包物の展開状態を示す表面説明図。
【図３】配送物の表面側を示す説明図。
【図４】配送物の裏面側を示す説明図。
【図５】配送物の裏面側に配送票を貼付した状態を示す説明図。
【図６】本発発明の配送票発行貼付方法の一実施例をフロー図にて概略的に示す説明図。
【符号の説明】
【００３０】
１    配送票発行貼付装置
２    移送手段
３    配送票発行装置
４    配送票貼付装置
５    制御部
６    二次元バーコードリーダ
６ａ，６ｂ，６ｃ    バーコードリーダ
７ａ，７ｂ    プリンタ
１１    記憶部
１２    表示部
１３    入力部
１４    指定配送物記憶部
３７    リジェクト
４１    バーコードラベル発行貼付装置
ｂ    配送物
Ｂ１，Ｂ２    コードデータ
Ｗ    重量測定装置
【図１】
2006096562.tif 000003
【図２】
2006096562.tif 000004
【図３】
2006096562.tif 000005
【図４】
2006096562.tif 000006
【図５】
2006096562.tif 000007
【図６】
2006096562.tif 000008
【手続補正書】
【提出日】平成17年11月30日(2005.11.30)
【手続補正１】
【補正対象書類名】明細書
【補正対象項目名】０００１
【補正方法】変更
【補正の内容】
【０００１】
本発明は、郵便配達や宅配業務等において配送物を物流経路に沿って移送するに際して、配送物の重量を検査する配送物重量検査装置に関する。
【手続補正２】
【補正対象書類名】明細書
【補正対象項目名】０００３
【補正方法】変更
【補正の内容】
【０００３】
そのため、多量に配送物があると、これら配送票の作成に大変な手間がかかるばかりか、配送物に貼付すべき配送票を誤って、他の配送物に貼付してしまって、確実な配送処理ができないので、配送物にコードデータを付すとともに、このコードデータに対応する配送する配送先データを登録して、随時このコードデータを読取り、登録した前記配送先データから対応する配送先データを検索し、自動で多量の配送物への配送票発行および貼付処理を行える配送票発行貼付装置の開発を試みた。しかしながら、いちいちコードデータに対応する配送先データを登録する作業が繁雑となり、その管理も大変なものとなるばかりか、システムも大掛かりなものとなってしまい配送物への配送票発行貼付作業は、きわめて繁雑で，作業効率を著しく低下させるものとなってしまう。本発明は、多量の配送物を移送するに際して、実用性に優れた配送物重量検査装置を提供することを目的とする。
【手続補正３】
【補正対象書類名】明細書
【補正対象項目名】０００５
【補正方法】変更
【補正の内容】
【０００５】
（作用）
配送物に付された二次元コードデータを読み取り、また、内包物検出手段にて配送物の重量を測定し、二次元コード読み取り手段にて読み取られた二次元コードデータに含まれる重量情報による配送物の重量と、内包物検出手段にて測定された配送物の重量とを比較し、２つの重量が互いに不一致であった場合に、配送物を回収する。
【手続補正４】
【補正対象書類名】明細書
【補正対象項目名】０００６
【補正方法】変更
【補正の内容】
【０００６】
以上説明したように、本発明の配送物重量検査装置は、多量の配送物を移送するに際して、実用性に優れた効果を奏する。
【手続補正５】
【補正対象書類名】明細書
【補正対象項目名】０００７
【補正方法】変更
【補正の内容】
【０００７】
以下、本発明を好適な実施例に基づいて詳細に説明する。図１は、本発明の配送物重量検査装置を用いた配送票発行貼付装置の全体説明図であって、図２は、図１に示した配送票発行貼付装置で処理する配送物の内包物として取扱われるカードとカード配送台紙の展開状態の表面説明図、また、図３は、図１に示した配送票発行貼付装置で処理する図２の内包物を封入した封筒の表面説明図で、図４は、図３の封筒の裏面説明図、図５は、図４の封筒の裏面に配送票を貼付した平面説明図、図６は、図１の配送票発行貼付装置の処理フロー説明図である。
【手続補正６】
【補正対象書類名】明細書
【補正対象項目名】０００８
【補正方法】変更
【補正の内容】
【０００８】
配送票発行貼付装置１の説明に先だって、図２の内包物となるカードＣとこのカードＣを固定するカード台紙３４を説明する。このカード台紙３４は、カードＣの送り状を兼ねる物であって、あらかじめ配送先住所、氏名、およびこれら配送先住所、氏名や配送管理用バーコードラベル情報等が記憶された二次元バーコードＢＣが印字されている。カードＣは、カード台紙３４に設けられた２つの切り込み３５にエッジが挿入されて固定されている。
【手続補正７】
【補正対象書類名】明細書
【補正対象項目名】０００９
【補正方法】変更
【補正の内容】
【０００９】
このカード台紙３４とカードＣからなる内包物は、２つの折り線３８でジグザグに折りたたまれ、図３で示される封筒に封入された配送物ａとされる。次に、この封筒を図３及び図４にしたがって説明すると、表面側（図３）に、配送物ａ（封筒）に設けられた窓から、二次元バーコードデータＢＣ、および配送宛先情報３１としての住所、氏名が表出されている。また、配送管理用に発行されるバーコードラベルＢ１が貼付され、このバーコードラベルＢ１の出力データは、前述した如く二次元バーコードデータＢＣに記憶されていて、この二次元バーコードデータＢＣの読取りに基づいて発行されるものである。図４は、封筒裏面側を示す図であり、封緘用舌片３３を有している。
【手続補正８】
【補正対象書類名】明細書
【補正対象項目名】００１０
【補正方法】変更
【補正の内容】
【００１０】
図１は、封書を書留郵便で送付する際に使用される配送票としての書留郵便配達証を発行貼付する配送票発行貼付装置の実施例を示す図である。図１に示すように配送票発行貼付装置１は、概略的に、一つずつ供給部２１から供給される配送物（封筒）ａを一方向（図中、左から右）に移送してストッカーなどの区分部２２へ送り出すコンベヤベルトよりなる移送手段２と、配送物ａ個々に特定されたバーコードとして表された二次元バーコードデータＢＣを、移送手段２上の上流側で読み取り、対応する配送管理用バーコードラベルＢ１を発行するバーコードラベル発行手段４１と、配送物における内包物検出手段Ｗと、配送票を発行する配送票発行装置３と、配送票発行装置３で発行された配送票１６（書留郵便配達証）（図５参照）を配送物ａに対して、移送手段２上において貼り付ける配送票貼付装置４とからなるものである。
【手続補正９】
【補正対象書類名】明細書
【補正対象項目名】００１１
【補正方法】変更
【補正の内容】
【００１１】
具体的な構成としては、給送部より一通づつ供給される配送物ａの二次元バーコードデータＢＣを二次元バーコードリーダー６により、上流側で配送物ａから読み取ってその情報を制御部５に送り、この制御部５からの制御により作動する配送管理用バーコードラベルＢ１を発行するバーコードラベル発行手段４１と、バーコードラベル発行貼付後、同様に制御部５からの制御により作動する配送物における内包物検出手段としてなる重量測定装置Ｗが配置されており、ここで配送物ａの内包物の測定が行われる。後段には、配送票発行装置３における二組のプリンタ７ａ、７ｂが配置されているとともに、配送票貼付装置４は、制御部５の制御下で、粘着手段を有した配送票が剥離可能に並び設けられている支持帯８を配送票発行装置３のプリンタ７ａ、７ｂのヘッド面を通過するように送り出し、移送手段２上を経て巻き取る一対のロール部９と、移送手段２上を移動する封筒ａに向けて順次配送票を支持帯８から分離させて貼り付けるガイド部１０ａ、１０ｂとから構成されている。
【手続補正１０】
【補正対象書類名】明細書
【補正対象項目名】００１２
【補正方法】変更
【補正の内容】
【００１２】
なお、制御部５には、予め配送物ａに対して付された二次元バーコードＢＣを読取って、この二次元バーコードＢＣに対応する配送先住所、氏名および前述した配送物ａにおける内包物の検出情報となる重量情報等の配送データへの変換用プログラムが記録される記憶部１１、全装置の動作状態などを制御部５の制御の下で表示する表示部１２、手動操作指示などの外部入力情報を制御部５に与えるキーボード等の入力部１３がそれぞれ接続されている。
【手続補正１１】
【補正対象書類名】明細書
【補正対象項目名】００１３
【補正方法】変更
【補正の内容】
【００１３】
そして、重量測定装置Ｗによる内包物検出および配送票発行装置３の動作状態にあっては、移送手段２で移送されてくる配送物ａの二次元コードデータＢＣをバーコードリーダ６で読み取り、予めこの二次元バーコードデータＢＣに対応する配送データにおける重量データが記録された配送データファイルの情報から、即ち、記憶部１１から検索して得られた、配送物ａのコードデータに対応する重量データと、重量測定装置Ｗが測定した重量データとが制御部５で比較される。ここで重量が異なった場合は、制御部５は、重量測定装置Ｗのすぐ後段に配置されたリジェクトボックス３７の駆動手段４０を駆動制御し、その配送物ａを回収するよう制御する。これら、制御部５、リジェクトボックス３７及び駆動手段４０から回収手段が構成される。
【手続補正１２】
【補正対象書類名】明細書
【補正対象項目名】００１４
【補正方法】変更
【補正の内容】
【００１４】
また、重量が異なることなく、一致した場合は、リジェクトボックス３７を通過し、後段に移送されるが、記憶部１１から、配送物ａのコードデータに対応する配送先住所、氏名としての配送データを検索して、得られた配送データが、配送票発行装置３における支持帯８の配送票にプリントアウトされ、そして、配送票貼付装置４で、プリントアウトされた配送票が移送手段２側で分離される時点で、予め配送物ａに対して付された二次元バーコードデータＢＣが読み取られた配送物ａに対応したコードデータＢ２（配送管理用バーコードラベルＢ１と同コード）付きの２枚の配送票１６が貼付されるようにしたものとなっている。尚、６ａ、６ｂ、６ｃは、配送物ａに貼付された２枚の配送票１６のコードデータＢ２、Ｂ２と予め配送物ａに対して最初に付されたバーコードラベルＢ１の照合用のバーコードリーダである。
【手続補正１３】
【補正対象書類名】明細書
【補正対象項目名】００１６
【補正方法】変更
【補正の内容】
【００１６】
バーコードリーダ６ａ、６ｂ、６ｃの後段には、指定した配送物ａをストックするピックアップボックス２３と、予め配送物ａに対して付された二次元バーコードデータＢＣがバーコードリーダー６で読み取りができなかった場合や、バーコードリーダ６ａ、６ｂ、６ｃで配送物ａに貼付された２枚の配送票１６のコードデータＢ２、Ｂ２と予め配送物ａに対して最初に付されたバーコードラベルＢ１の照合がとれなかったものを抜き出すリジェクトボックス２４が設けられている。
【手続補正１４】
【補正対象書類名】明細書
【補正対象項目名】００１７
【補正方法】変更
【補正の内容】
【００１７】
ピックアップボックス２３には、バーコードリーダ６または、バーコードリーダ６ａ、６ｂ、６ｃのいずれが指定配送物記憶部１４に登録されているコードデータを読み取った場合には、制御部５の制御の下で対象となる配送物ａを抜き出す抜き取り駆動装置１２１が設けられピックアップ手段を構成する。また、リジェクトボックス２４にも、バーコードリーダー６で読み取りできない二次元バーコードデータＢＣ、または、バーコードリーダ６ａ、６ｂ、６ｃでの照合不良の場合に制御部５の制御の下で対象となる配送物ａを抜き出す抜き取り駆動装置１２２が設けられリジェクト手段を構成する。
【手続補正１５】
【補正対象書類名】明細書
【補正対象項目名】００１８
【補正方法】変更
【補正の内容】
【００１８】
図５は、配送票１６が封書本体と封緘された封緘舌片３３の堺を覆う位置に貼付した例であって、図５に示されているように配送票１６は、配送票１６の裏面に粘着剤が塗布されているとともに、更にその下に剥離可能にして透明フィルムが接合され、その透明フィルムの裏面に粘着剤が塗布されていて、配達票１６に各種配達情報が上述のようにして出力された後、各裏面の粘着剤を介して配送物ａに貼り合わされることになる。なお、図中右側の配送票１６は配送過程において配送物ａから分離され郵便局が控とするものである。
【手続補正１６】
【補正対象書類名】明細書
【補正対象項目名】００１９
【補正方法】変更
【補正の内容】
【００１９】
図６は、配送票１６を発行貼付する際の作業流れを示している。まず、個々にコードデータが特定されている配送物ａが供給され（ステップ１０１）、供給されてきた配送物から二次元バーコードデータＢＣを読み取り（ステップ１０２）、この二次元バーコードデータＢＣが読み取れなかった場合は、読み取りエラーとし（ＮＧ）、リジェクト処理される（ステップ１０８）。読み取りエラーが生じなかった場合は、バーコードラベル発行貼付装置４１で対応する配送物ａに配送管理用のバーコードラベルＢ１が発行、貼付される（ステップ１０３）、一方、これと平行して、二次元バーコードデータＢＣの読み取りに基づいて通常、人手を介して読取り可能な配送先データへのデータ変換が行われる（ステップ１０４）。
【手続補正１７】
【補正対象書類名】明細書
【補正対象項目名】００２１
【補正方法】変更
【補正の内容】
【００２１】
次に、重量チェックをクリヤし異常がなければ、二次元バーコードデータＢＣからステップ１０４での配送先データへのデータ変換の後、制御部５から配送票発行装置３に、その配送データを出力動作させる指令が発せられると、前記指令により配送データを配送票１６に出力し（ステップ１０５）、配送票貼付装置４は、その配送票１６を配送物ａに貼付する工程に移行する（ステップ１０６）。
【手続補正１８】
【補正対象書類名】明細書
【補正対象項目名】００２２
【補正方法】変更
【補正の内容】
【００２２】
そして、ステップ１０６を経た配送物ａのバーコードラベルＢ１と配送票ａに出力されたコードデータＢ２とを読み取って比較する段階（ステップ１０７）となり、この段階で不一致（ＮＧ）である場合には、制御部５の制御の下で抜き取り駆動装置１２２を駆動し配送物ａを抜き出しリジェクト処理される（ステップ１０８）。
【手続補正１９】
【補正対象書類名】明細書
【補正対象項目名】００２３
【補正方法】変更
【補正の内容】
【００２３】
一方、ステップ１０７で一致（ＹＥＳ）となった配送物に関しては次工程に移送することになる。次工程では、指定配送物記憶部１４に登録されているコードデータを読み取った場合には（ステップ１０９）、制御部５の制御の下で抜き取り駆動装置１２１を駆動し配送物ａを抜き出しピックアップ処理される（ステップ１１０）。
【手続補正２０】
【補正対象書類名】明細書
【補正対象項目名】００２６
【補正方法】変更
【補正の内容】
【００２６】
また、本発明の配送物重量検査装置に配置された各装置において、バーコードラベル発行装置の後段に、内包物検出手段として設けた重量測定装置は、必ずしも、このバーコードラベル発行装置の後段に配置する必要はなくバーコードラベル発行装置の前段に配置して、バーコードラベルの発行以前にリジェクトしてもよい。
【手続補正２１】
【補正対象書類名】明細書
【補正対象項目名】００２８
【補正方法】変更
【補正の内容】
【００２８】
また、配送物ａは封筒形態のものが示されていて、配送管理用バーコードラベルは、配送物表面に貼付されるもの以外に、配送物表面に直接バーコードデータが印字記載されるものであってもよく、また、この配送物ａはある程度の厚さを有するものであってもよく、封筒に限定されるものではない。
【手続補正２２】
【補正対象書類名】明細書
【補正対象項目名】００２９
【補正方法】変更
【補正の内容】
【００２９】
【図１】本発明の配送物重量検査装置を用いた配送票発行貼付装置の一実施例を概略的に示す説明図。
【図２】配送物における内包物の展開状態を示す表面説明図。
【図３】配送物の表面側を示す説明図。
【図４】配送物の裏面側を示す説明図。
【図５】配送物の裏面側に配送票を貼付した状態を示す説明図。
【図６】本発明の配送票発行貼付方法の一実施例をフロー図にて概略的に示す説明図。
【手続補正２３】
【補正対象書類名】明細書
【補正対象項目名】００３０
【補正方法】変更
【補正の内容】
【００３０】
１    配送票発行貼付装置
２    移送手段
３    配送票発行装置
４    配送票貼付装置
５    制御部
６    二次元バーコードリーダ
６ａ，６ｂ，６ｃ    バーコードリーダ
７ａ，７ｂ    プリンタ
１１    記憶部
１２    表示部
１３    入力部
１４    指定配送物記憶部
３７    リジェクトボックス
４１    バーコードラベル発行貼付装置
ａ    配送物
Ｂ１，Ｂ２    コードデータ
Ｗ    重量測定装置
【手続補正２４】
【補正対象書類名】図面
【補正対象項目名】図１
【補正方法】変更
【補正の内容】
【図１】
2006096562.tif 000009
【手続補正２５】
【補正対象書類名】図面
【補正対象項目名】図６
【補正方法】変更
【補正の内容】
【図６】
2006096562.tif 000010